(57)【要約】【解決手段】電子医療体温計（１）は、事実上透明材料から作られたメインケース（２）を含む。体温計（１）は、メインケース（２）において温度を表示するための表示要素（６）を持ち、メインケース（２）は、表示領域（７）を持ち、該表示領域を通して、表示要素を観察することができる。メインケース（２）は、透明若しくは半透明領域（８）を更に有し、該領域を通して、例えばサブケース（１７）又は装飾シート（２７）等の内部部材は、色付き又はパターン形成表面が形成されている。【選択図】図１
2004507729.tif 000002
【特許請求の範囲】
【請求項１】
電子医療体温計（１）であって、
先端部（４）を備えた細長いプローブ部分（３）を有するメインケース（２）と、
前記先端部（４）内に配置された温度センサー（５）と、
前記温度センサー（５）により測定された温度を表示するための表示要素（６）と、
前記メインケース（２）内に配置された内部装飾部材（１７，２７）と、
を含み、
前記メインケース（２）は、透明な表示領域（７）を有し、前記表示要素（６）は、前記表示領域（７）の背後に配置されており、
前記メインケースは、少なくとも１つの追加された透明又は半透明な領域（８）を有すると共に、前記内部装飾部材（１７、２７）は、その表面（１８）の少なくとも一部分が、前記追加の透明又は半透明な領域（８）を通して目で見ることができるように、該追加の透明又は半透明な領域（８）の背後に配置されていることを特徴とする、電子医療体温計。
【請求項２】
前記メインケース（２）は、実質的にその全体表面（９）に亘って、透明又は半透明であることを特徴とする、請求項１に記載の電子医療体温計。
【請求項３】
前記内部装飾部材は、装飾シート（２７）として形成されていることを特徴とする、請求項１又は２に記載の電子医療体温計。
【請求項４】
前記内部装飾部材は、サブケース（１７）として形成されていることを特徴とする、請求項１又は２に記載の電子医療体温計。
【請求項５】
前記内部装飾部材（１７、２７）は、前記追加の透明又は半透明な領域（８）を通して目で見ることができる、色付き及び／又はパターン形成された表面（１８）を有することを特徴とする、請求項１乃至４のいずれか１項に記載の電子医療体温計。
【請求項６】
前記サブケース（１７）は、前記表示要素（６）を備えていることを特徴とする、請求項４又は５に記載の電子医療体温計。
【請求項７】
前記サブケース（７）は、前記温度センサー（５）及び前記表示要素（６）に接続された電子回路基板（１０）を搭載する、中空ボディとして形成されていることを特徴とする、請求項４乃至６のいずれか１項に記載の電子医療体温計。
【請求項８】
前記サブケース（１７）は、互いに接続された、上側部品（１９）及び下側部品（２０）を備え、該部品の間には、前記電子回路基板（１０）が保持される中空キャビティが形成される、請求項７に記載の電子医療体温計。
【請求項９】
前記サブケース（１７、２７）は、前記温度センサー（５）を前記電子回路基板（１０）に接続するワイヤ（２２）のための開口（２４）、及び／又は、前記回路基板を電源（１２）に接続する電気接点（１１）のための開口（２３）を有することを特徴とする、請求項４乃至８のいずれか１項に記載の電子医療体温計。
【請求項１０】
前記内部装飾部材（１７、２７）は、観察用開口（２１）が設けられ、前記表示要素（６）は該開口（２１）を通して見ることができることを特徴とする、請求項１乃至８のいずれか１項に記載の電子医療体温計。
【請求項１１】
前記メインケース（２）は、該メインケース（２）の開放端部（１４）に接続された閉鎖部材（１３）を用いて閉じられていることを特徴とする、請求項１乃至９のいずれか１項に記載の電子医療体温計。
【請求項１２】
前記閉鎖部材（１３）は透明であることを特徴とする、請求項１１に記載の電子医療体温計。
【請求項１３】
前記内部装飾部材は、前記メインケース（２）の内側表面と少なくとも部分的に接触していることを特徴とする、請求項１乃至１２のいずれか１項に記載の電子医療体温計。
【請求項１４】
特に請求項１乃至１２のいずれか１項に記載の電子医療体温計を製造するための方法であって、
表示領域及び少なくとも１つの追加の透明若しくは半透明領域（８）を備えた事実上閉じた表面（９）、先端部（４）が形成された細長いプローブ部分（３）、及び、開放端部（１４）を有するメインケース（２）を設け、
内部装飾部材（１７、２７）を設け、
前記内部装飾部材（１７、２７）を前記メインケース（２）内に挿入し、
前記開放端部（１４）を閉鎖部材（１３）で閉じる、各工程を含む、方法。
【請求項１５】
前記内部装飾部材は、電子回路基板（１０）を搭載したサブケース（１７）として形成されることを特徴とする、請求項１４に記載の方法。
【請求項１６】
前記サブケースは、前記温度センサーを前記電子回路基板に接続するためのワイヤが備え付けられ、該ワイヤ（２２）は、前記細長いプローブ部分（３）に導入され、次に、前記先端部（４）に装着され若しくは装着可能である温度センサー（５）に接続される、請求項５に記載の方法。
【請求項１７】
前記内部装飾部材は、前記メインケース（２）内に挿入される装飾シート（２７）として形成される、請求項１４又は１５に記載の電子体温計を製造するための方法。
【発明の詳細な説明】
【０００１】
【発明の属する技術分野】
本発明は、独立特許請求の範囲に係る、電子医療体温計及びそのような体温計を製造するための方法に関する。
【０００２】
【従来技術】
電子医療体温計は、幅広く知られ、使用されている。通常では、そのような体温計は、観察用窓を備えた、プラスチック材料でできたハウジングから構成される。ＬＣＤディスプレイを備えた集積電子回路が、ディスプレイ上に表示された温度値を見ることができるように、上記窓の背後に配置されている。ドイツ実用新案ＤＥＧＭ２９８ ２０２０６号では、透明材料から作られ、且つ、観察用窓の側面領域では不透明に形成されたハウジングを使用することが提案された。この体温計は、ユーザーには興味の無い電子部品がハウジングの不透明部分により隠される一方で、容易に製造することを可能にしている。
【０００３】
日本特許文献のＪＰ１０−２１１７６Ａは、透明樹脂から形成された被覆物と、樹脂と一体のボディ内に形成された表示部分及びスイッチと、を有する、電子医療体温計を提案している。この設計の欠点は、窓と外側ケースとの間に、密度に関する問題が生じるおそれがあるということである。
【０００４】
今日の電子医療体温計は、高価ではなく、しばしば、例えば家族で、各人が個人用の体温計を持つこともできる。このため、様々に異なるデザイン又は色を有する様々な医療体温計を持つことが好ましい。異なって色付けされ又はデザインされた体温計は、潜在的な顧客の趣向を引き付けるためにも好ましい。
【０００５】
既知の製造技術の欠点は、異なるデザインの様々な体温計を経済的に製造することが可能ではないということである。
【０００６】
【発明が解決しようとする課題】
本発明の目的は、経済的に製造することのできると同時に異なるデザイン、例えば異なる色やパターンを有する様々な体温計を製造することを可能にする電子医療体温計を提供することである。本発明の更なる目的は、そのような体温計を経済的に製造するための方法を提供することである。
【０００７】
本発明のなお更なる目的は、顧客のデザイン趣向に容易に適合することのできる体温計を提供することである。
【０００８】
【課題を解決するための手段】
上記課題は、独立特許請求の範囲の特徴部分に係る、電子医療体温計及びそのような体温計を製造するための方法を用いて解決される。
【０００９】
体温計は、先端部を備えた細長いプローブ部分を有する、メインケースを含む。温度センサーは、例えば金属等の典型的な導電材料から作られる、先端部内部に既知の態様で配置される。体温計は、表示要素、典型的には、温度センサーにより測定された温度を表示するためのＬＣＤディスプレイを更に含む。
【００１０】
メインケース内部では、内部装飾部材が配置されている。メインケースは、観察用窓を形成する透明な表示領域を有する。表示要素は、上記表示領域の背後に配置されている。本発明によれば、メインケースは、少なくとも１つの追加の透明若しくは半透明の領域を有する。内部装飾部材は、追加の透明若しくは半透明領域の背後に、その表面の、特に色付きの、構造化され、又は、パターン形成された部品が、追加の透明若しくは半透明領域を通して見ることができる仕方で、配置されている。この構成は、異なる設計を備えた様々な体温計のための１つの標準的なメインケースを作ることを可能にする。異なる設計効果は、様々に異なる仕方で、色付けられ、パターン形成され、及び／又は、構造化された内部部材を提供することにより、達成することができる。メインケースは、完全に又は部分的に透明又は半透明であってもよい。完全に透明なメインケースは、製造するのが非常に容易であり、内部部材への視覚的なアクセスを与える。
【００１１】
追加の半透明な領域は、内部部材の色付き部品が、幾分乳白色に見える体温計へと導く。勿論、表示領域は、半透明な追加領域の場合にも透明なままである。
第１の好ましい実施形態では、内部装飾部材は、サブケースとして形成される。サブケースの表面は、異なる色を付けられたり又はパターンを形成されていてもよい。この実施形態によれば、異なる外観を有する様々な体温計を、一つの単一形式メインケース及び様々に異なる色付き／パターン形成サブケースを提供することによって作ることができる。
【００１２】
メインケースは、追加の透明若しくは半透明領域を持っているので、サブケースの色又はパターンは、メインケースを通して目で見ることができる。
好ましい実施形態では、第１の実施形態に係るサブケースは、表示要素を搭載している。サブケースは、温度センサー及び表示要素に接続された電子回路基板を搭載する中空ボディとして形成されてもよい。回路基板は、温度センサーにより提供された測定信号に基づいて温度を計算する。
【００１３】
サブケースは、電子回路基板が配置される中空キャビティを形成するように互いに接続された上側部品及び下側部品から構成されるとき、特に容易に製造することができる。
【００１４】
サブケースは、回路基板及び／又は例えばバッテリー等の電源への電気接点のための開口を備えた温度センサーを接続するワイヤのための開口を備え付けることができる。
【００１５】
更に好ましい実施形態では、内部装飾部材は、観察用開口が備え付けられている。表示要素は、当該開口を通して目で見ることができる。装飾部材がメインケース内に含まれているので、この開口において物理的窓を提供することは必要ではない。この観察用開口は、単に、孔により形成される。
【００１６】
この設計は、複数の利点をもたらす。即ち、メインケースが上記のように閉じられているので、水に対する密封性の観点、及び、ハウジング及び一体成形窓の間に形成され得る隙間から汚れや細菌を除去するという観点において問題を引き起こさない。
【００１７】
同時にサブケースは、体温計の電子部品を保護し覆うため、並びに、これらの部品をメインケース内部に保持し位置決めするため使用される。ＬＣＤディスプレイは、追加で挿入される窓の必要性無しに、透明メインケース、及び、サブケース内の開口を通して目で見ることができる。最終的に、顧客の趣向による異なるデザインの体温計を、特別に色付けされ、構造化又はパターン形成された表面を備えたサブケースを選択することによって容易に提供することができる。
【００１８】
メインケースは、好ましくは、メインケースの開放端部に接続された閉鎖部材を用いて閉じられる。閉鎖部材も透明であってもよい。閉鎖部材の内部には、好ましくは、電源、例えばバッテリーが配置される。バッテリーは、サブケースと類似した表面色又は構造を有するケース内に配置されてもよい。
【００１９】
内部装飾部材は、それが、メインケースの内側表面と少なくとも部分的に接触するように配置されるのが好ましい。この配置は、透明メインケースに色付けされ又はパターン形成された外観を与える。
【００２０】
本発明の第２の実施形態では、内部装飾部材は、メインケースと、表示要素を搭載する集積回路との間に配置された装飾シートとして形成される。装飾シートは、任意の所望の仕方で色付けされ、パターン形成されてもよい。メインケース及び集積回路は、全ての体温計に対して同一であり、その一方で様々な装飾シートは、異なる外観を有する様々な体温計を製造することを可能にする。
【００２１】
本発明に係る体温計は、製造するのが特に容易である。本発明に係る方法では、第１の工程では、事実上透明なメインケースが用意される。メインケースは、実質的に閉じた表面と、先端部を備えた細長いプローブ部分と、該細長いプローブ部分と反対側の開放端部と、を有する。
【００２２】
第２の工程では、内部装飾部材がメインケース内に挿入される。メインケースの開放端部は、最終的に閉鎖部材で閉じられる。気密性の観点で問題が無いように、閉鎖部材をメインケースに溶接、例えば超音波溶接することができる。
【００２３】
先端部内部に配置された温度センサーを電子回路基板に接続するため様々に異なる方法が存在する。最も好ましい方法では、回路基板がサブケース内に挿入される前にワイヤが該回路基板に取り付けられる。ワイヤは、サブケースがメインケース内に挿入されるとき、細長いプローブ部分を通して、及び、該プローブ部分の開放端部を通して突き抜けていく。一定長さのワイヤは、細長いプローブ部分の開放端部に亘って延在するような仕方で配置される。一旦、サブケースが挿入されると、温度センサーは、該ワイヤに取り付けられ、先端部に固定され、該先端部は細長いプローブ部分の開放端部に取り付けられる。
【００２４】
第２の実施形態による体温計が製造されたとき、装飾シートがサブケース及びメインケースの間に挿入される。
本発明は、本発明の２つの実施形態を示す図面を参照してより明瞭に理解することができるであろう。
【００２５】
【発明の実施の形態】
図１は、破断図で体温計を示している。体温計１は、先端部４を備えたプローブ部３を有する、メインケース２を含む。温度センサー５（図２を参照せよ）は、先端部４内に配置されている。メインケースは、透明な表示領域７が備えられている。表示領域７の背後に配置された表示要素６（図２乃至図４を参照せよ）は、透明な表示領域７を通して見ることができる。
【００２６】
本発明によれば、メインケース２は、追加の透明領域８が備えられている。図１に示された実施形態によれば、メインケース２は、プラスチック材料から一体に成形されている。メインケース２は、全体的な表面９に亘って透明である閉表面９を有する中空ボディを形成する。プラスチック材料は、典型的には、ＡＢＳである。
【００２７】
内部装飾部材を形成するサブケース１７が、メインケース２内に挿入される。サブケース１７は、上側部品１９及び下側部品２０から形成される。プリント回路基板１０（図１に概略的にのみ示される）が、上側部品１９及び下側部品２０の間に保持される。プリント回路基板１０は、ＬＣＤ表示要素６（図１では示されていない）が備えられている。表示要素６は、サブケース１７の上側部品１９内の観察用開口２１を通して見ることができる。サブケース１８の表面１８は、色、例えば、黄色が着色されている。サブケースも、典型的には、ＡＢＳである。
【００２８】
メインケース２は、開放端部１４を有し、該開放端部を通して、サブケース１７を挿入することができる。開放端部１４は、閉鎖部材１３で閉じられる。閉鎖部材１３も、透明材料から作られている。バッテリー１２（図１では図示せず）が、閉鎖部材１３内に備えられてもよい。
【００２９】
サブケース１７は、プリント回路基板１０をバッテリー１２に接続するための電気接点１１（図１では図示せず）のための開口２３が形成されている。サブケースは、温度センサー５をプリント回路基板１０に接続するためのワイヤ２２（図１では図示せず）のための第２の開口２４が形成されている。
【００３０】
閉鎖部材１３及び先端部４は、メインケース２に超音波溶接されている。これらの部品を互いに接着することも考えられる。スイッチ１５が閉鎖部材１３に取り付けられ、体温計１を付勢したり消勢したりすることを可能にする。
【００３１】
図２は、第１の実施形態の体温計１である。メインケース２は、完全に透明材料から形成されており、これにより体温計１の長さ全体に沿って延在する透明領域８が形成されている。従って、サブケース１７は、メインケース２を通して見ることができる。サブケース１７は、色が付けられており、例えば黄色の表面を有する。メインケース２は、完全に透明である。僅かに色が付いているがなおも透明であるメインケースを提供することも考えられる。魅力的な色の効果を、僅かに青色透明なメインケース２により達成することができる。ワイヤ２２は、プリント回路基板１０を温度センサー５に接続している。
【００３２】
図３は、本発明の第２の実施形態を示している。色付きシート２７の形態にある内部装飾部材が、メインケース２と、表示要素６を備えたプリント回路基板を乗せているサブケース２６との間に挿入されている。サブケース２６は、シート２７により覆われているので、図３では見ることができない。表示要素は、シート２７内の観察用開口２１を通して見ることができる。
【００３３】
図４は、体温計１の別の斜視図を示しており、該図では、目で見ることができるサブケース１７が省略されている。メインケース２は、表示領域のための追加の窓を挿入する必要がないように、完全に閉じた外側表面を有する。
【００３４】
図５は、図１に係る体温計の断面図である。
サブケース１７の上側部品１９及び下側部品２０は、プリント回路基板１０を覆う。上側部品１９及び下側部品２０は、スナップ作用により互いに接続されている。これらの部品を一緒に溶接又は接着することも考えられる。プリント回路基板１０上の表示要素６は、サブケース１７の上側部品１９の開口２１の下方に配置されている。メインケース２０が透明であるので、表示要素６は、メインケースの表示領域７及びサブケース１７の開口２１を通して見ることができる。ワイヤ２２は、サブケース１７内の開口２４を通して案内される。閉鎖部材１３内に配置されたバッテリー１２にプリント回路基板１０を接続するため、サブケース１７の開口２３内に電気接点１１が設けられる。
【００３５】
サブケース１８の外側表面は、サブケースがメインケース内部に硬く保持される態様に設計されている。サブケース１７の表面１８は、メインケース２の内側表面と接触する。
【００３６】
図６は、体温計１の断面図を示しており、この図では、サブケース１７の外側形状が示されている。
図７は、サブケース１７の斜視図を示している。サブケース１７は、上側部品１９及び下側部品２０から構成される。表示要素６のための開口２１は、上側部品１７内の孔として形成される。サブケース１７の表面１８は、色付けられている。サブケース１７の表面１８に、子供にとって魅力的なパターン及び／又は図面を形成することも考えられる。
【００３７】
図８は、サブケース１７の断面図を示している。回路基板１０は、サブケースの、上側部品１９及び下側部品２０の間に保持されている。
図９は、本発明の第２の実施形態の破断図を示している。装飾シート２７は、サブケース２６及びメインケース２の間に挿入される。サブケース２６は、第１の実施形態のサブケースと類似の仕方で構成される。装飾シート２７に起因して、サブケース２６の表面に色又はパターンを施す必要はなくなる。メインケース２用のと同じ透明材料を、第２の実施形態のサブケース２６の下側部品２８及び上側部品２９を製造するため使用することができる。
【００３８】
図１０は、第１の実施形態を通した断面図を示している。装飾シート２７が、サブケース２８の表面１８と、メインケース２の内側表面との間に挿入される。シート２７は、メインケース２の内側表面と接触する。
【００３９】
本発明に係る体温計を作るために、プリント回路基板は、最初に、サブケース１７又はサブケース２８内に取り付けられる。ワイヤ２２は、サブケース１７から又はサブケース２８から延びている。サブケース１７又はサブケース２８は、メインケース２内に挿入され、この作業によってワイヤ２２は、プローブ部分３を通して、及び、その開放端部を通して挿入される。プローブ３から延びているワイヤ２２は、温度センサー５に溶接される。温度センサー５が先端部４に取り付けられ、例えば、接着される。次に、先端部４がプローブ部分３の端部に溶接又は接着される。体温計１は、メインケース２の開放端部１４に閉鎖部材１３を接続することにより最終的に閉じられる。
【図面の簡単な説明】
【図１】図１は、本発明の第１の実施形態の破断図を示す。
【図２】図２は、本発明の第１の実施形態に係る体温計の概略図を示す。
【図３】図３は、本発明の第２の実施形態に係る体温計の概略図を示す。
【図４】図４は、本発明の第１の実施形態に係る体温計の斜視図を示す。
【図５】図５は、本発明の第１の実施形態の体温計を通した断面図を示す。
【図６】図６は、本発明の第１の実施形態のメインケースを通した断面図を示す。
【図７】図７は、本発明に係るサブケースの斜視図を示す。
【図８】図８は、図７のサブケースを通した断面図を示す。
【図９】図９は、本発明の第２の実施形態に係る体温計の破断図を示す。
【図１０】図１０は、本発明の第２の実施形態に係る体温計を通した断面図を示す。
【国際公開パンフレット】
2004507729.tif 000003
2004507729.tif 000004
2004507729.tif 000005
2004507729.tif 000006
2004507729.tif 000007
2004507729.tif 000008
2004507729.tif 000009
2004507729.tif 000010
2004507729.tif 000011
2004507729.tif 000012
2004507729.tif 000013
2004507729.tif 000014
2004507729.tif 000015
2004507729.tif 000016
2004507729.tif 000017
2004507729.tif 000018
2004507729.tif 000019
2004507729.tif 000020
2004507729.tif 000021
2004507729.tif 000022
2004507729.tif 000023
2004507729.tif 000024
【国際調査報告】
2004507729.tif 000025
2004507729.tif 000026
2004507729.tif 000027